(57)【特許請求の範囲】
【請求項１】
壁面に固定される取付枠と、該取付枠の表面を被覆するとともに前記配線器具のボス部を露出させる窓部を備えた化粧プレートと、前記取付枠と化粧プレートとの間に介在して設けられる耐火プレートと、を含む配線器具取付装置において、
前記取付枠が、前記化粧プレートおよび耐火プレートを装着するための係合孔を有し、
前記化粧プレートは、前記係合孔に係合する係合爪を有するとともに、
前記耐火プレートは、前記係合孔に係合する係合片を有し、
これら係合爪と係合片とが、ともに同じ前記係合孔へ係合する構成であることを特徴とする配線器具取付装置。
【請求項２】
請求項１記載の配線器具取付装置において、
前記化粧プレートの係合爪に係合溝を形成するとともに、前記耐火プレートの係合片は前記係合溝に嵌合して前記係合爪と一体化し、これら係合爪と係合片とが前記取付枠の係合孔に一体に係合する構成であることを特徴とする配線器具取付装置。
【発明の詳細な説明】
【０００１】
【発明の属する技術分野】
この発明は、スイッチ，コンセント等の配線器具を建築構造物の壁面に取り付けるために用いられる配線器具取付装置に関し、特に火災の延焼を抑制する耐火プレートを備えた配線器具取付装置に関する。
【０００２】
【従来の技術】
図９は、従来のこの種の配線器具取付装置を示す斜視図である。
同図に示す従来の配線器具取付装置は、取付枠１０、化粧プレート２０、および耐火プレート３０を備えている。
【０００３】
取付枠１０は、建築構造物の壁面に固定され、スイッチ，コンセント等の配線器具を装着するための部材である。化粧プレート２０は、取付枠１０に係合して同枠１０の表面を被覆するための部材である。そして、耐火プレート３０は、取付枠１０と化粧プレート２０との間に介在して設けられ、火災発生時に炎が壁内空間へ進出し延焼するのを抑制するための部材である。
【０００４】
さて、上述した機能を有する取付枠１０には、固定用孔１３、装着孔１１、操作孔１２など各種の孔が穿設してある。このうち、固定用孔１３は、取付枠１０を壁面にねじ止めして固定する際に用いられる。
装着孔１１は取付枠１０の中央部に穿設してあり、配線器具のボス部が挿通される。この装着孔１１の周縁部裏面側には、図示されていないが、配線器具を係止するための係止部が形成してある。この係止部に配線器具側の係止爪を係合させることで、配線器具を取付枠に装着することができる。
操作孔１２は、装着孔１１の周囲に穿設してある。この操作孔１２にドライバ等の工具を差し込み、上述した係止部と配線器具側の係止爪との間の係合状態を解除して、配線器具を取付枠から取り外すことができるようになっている。
【０００５】
さらに、取付枠１０には、化粧プレート２０および耐火プレート３０を装着するための係合孔１５，１６がそれぞれ別個に穿設してある。化粧プレート用の係合孔１５には、化粧プレート２０の裏面に形成した係合爪（図示せず）が係合して、化粧プレート２０を取付枠１０の表面側に装着する。また、耐火プレート用の係合孔１６には、耐火プレート３０の周縁部に形成した係合爪３３が係合して、耐火プレート３０を取付枠１０の表面側に装着する。
【０００６】
このような構成の従来の配線器具取付装置は、作業現場において所要の配線器具を取付枠１０に装着した後、該取付枠１０を壁面に固定する。次いで、耐火プレート３０を取付枠１０に装着してから、最後に化粧プレート２０を取付枠１０に装着して施工を完了する。
【０００７】
【発明が解決しようとする課題】
上述したように従来の配線器具取付装置は、取付枠１０に固定用孔１３、装着孔１１、操作孔１２のみならず、化粧プレート用の係合孔１５および耐火プレート用の係合孔１６がそれぞれ別個に穿設されていた。このような各種の孔を穿設した場合、必然的に取付枠１０の強度が低下していく。このため、従来は取付枠１０の裏面に、複雑な形状の補強リブを形成して所要の強度を確保していた。ゆえに、複雑形状の金型を必要とするなど製作コストが高価格となり、しかも不良品率が高く歩留りが悪いという問題があった。
【０００８】
また、上述した作業現場における配線器具取付作業の手順から明らかなように、従来の配線器具取付装置は、耐火プレート３０と化粧プレート２０をそれそれ別個に装着する構造となっていたので、耐火プレート３０を備えない配線器具取付装置に比べて作業工数が多い。さらに、取付枠１０、化粧プレート２０、および耐火プレート３０をそれぞれ分解して輸送しなければならず、輸送時の取扱いが煩雑であった。
【０００９】
この発明は、このような事情に鑑みてなされたもので、取付枠１０の形状を簡素化しつつ同枠１０の強度を増強することを目的とする。
また、この発明は、作業現場における配線器具の取付け作業工数を減らして、作業性の向上を図ることができ、しかも輸送時の取扱いを容易化できる配線器具取付装置の提供を目的とする。
【００１０】
【課題を解決するための手段】
上記目的を達成するためにこの発明は、壁面に固定される取付枠と、該取付枠の表面を被覆するとともに配線器具のボス部を露出させる窓部を備えた化粧プレートと、取付枠と化粧プレートとの間に介在して設けられる耐火プレートとを含む配線器具取付装置において、取付枠に、化粧プレートおよび耐火プレートを装着するための装着部を形成するとともに、化粧プレートおよび耐火プレートに、取付枠の装着部と係合する係合手段をそれぞれ形成したことを特徴としている。
【００１１】
このような構成とすることで、取付部に形成した装着部に対し、化粧プレートおよび耐火プレートを一括して係合することができる。したがって、例えば、取付枠の装着部を上記係合手段と係合する孔形状に形成した場合であっても、化粧プレートおよび耐火プレートに対し別個に孔（装着部）を形成する構造に比べ孔の穿設箇所が減少するため、強度が増強する。
その結果、補強用のリブを複雑に形成する必要がなく、構造の簡素化ひいては製作コストの低価格化および歩留りの向上を図ることができる。
【００１２】
この発明は、化粧プレートおよび耐火プレートに形成した各係合手段に、それぞれ相互に係合する係合部を設けてもよい。
このように構成すれば、工場出荷時に化粧プレートと耐火プレートを相互に係合して一体化しておくことができ、各構成部材を分けて梱包する場合に比べ、輸送時の取扱いが容易となる。しかも、あらかじめ係合させた化粧プレートと耐火プレートを一括して取付枠に装着できるので、取付け作業工数が減り作業性の向上を図ることができる。
【００１３】
【発明の実施の形態】
以下、この発明の実施の形態について図面を参照して詳細に説明する。
図１〜図８はこの発明の実施形態を説明するための図であり、図１は配線器具取付装置の分解斜視図である。図２は同装置の化粧プレートを示す斜視図、図３は同装置の耐火プレートを示す斜視図である。
【００１４】
図１に示すように、この実施形態に係る配線器具取付装置は、取付枠１０、化粧プレート２０、および耐火プレート３０を備えている。
取付枠１０は、建築構造物の壁面に固定され、スイッチ，コンセント等の配線器具を装着するための部材である。この取付枠１０の中央部には、装着孔１１が形成してあり、この装着孔１１にスイッチ，コンセント等の配線器具におけるボス部が挿通される。装着孔１１の両側縁部裏面側には、配線器具を係止するための係止段部（図示せず）が形成してあり、該係止段部に配線器具の係止爪を係止することで、取付枠１０へ配線器具を装着することができる。
【００１５】
装着孔１１の両側縁部には、係止段部へと貫通する操作孔１２が形成してある。この操作孔１２にドライバ等の工具を差し込むことにより、係止段部と配線器具の係止爪との間の係止状態を解除して、配線器具を取付枠１０から取り外すことができる。
取付枠１０の上下端部付近には、壁面への固定用孔１３が形成してある。これらの固定用孔１３は、取付枠１０を壁面にねじ止めして固定する際に用いられる。
なお、取付枠１０における上述した配線器具の着脱構造、および壁面への固定構造については、従来から公知の構造を適用してもよい。
【００１６】
化粧プレート２０は、取付枠１０の表面を被覆するための部材である。この化粧プレート２０の中央部には窓部２１が形成してあり、取付枠１０に装着した配線器具のボス部をこの窓部２１から露出させる。
図７は配線器具取付装置にスイッチを装着した状態を示す外観斜視図であり、図８は同じくコンセントを装着した状態を示す外観斜視図である。
これらの図に示すように、取付枠１０は化粧プレート２０により被覆され、スイッチ１やコンセント２のボス部１ａ，２ａのみが窓部２１から露出する。
【００１７】
耐火プレート３０は、取付枠１０と化粧プレート２０との間に介在して設けられ、火災発生時に炎が壁内空間へ進出し延焼するのを抑制するための部材であり、この実施形態ではステンレス板により形成してある。この耐火プレート３０の中央部にも、取付枠１０に装着した配線器具のボス部を挿通するための透孔３１が形成してある。
【００１８】
上述した取付枠１０には、化粧プレート２０および耐火プレート３０を装着するための係合孔（装着部）１４が所定箇所に設けてある。一方、化粧プレート２０には、鉤形状の係合爪（係合手段）２２が形成してある（図２参照）。この係合爪２２は、取付枠１０に設けた係合孔１４の縁部に係合して、化粧プレート２０を取付枠１０の表面側に固定する。
さらに、耐火プレート３０には係合片（係合手段）３２が形成してある（図３参照）。この係合片３２も、取付枠１０に設けた係合孔１４の縁部に係合して、耐火プレート３０を取付枠１０の表面側に固定する。ここで、耐火プレート３０に形成した係合片３２の正面形状は、化粧プレート２０に形成した係合爪２２と略同じ鉤形状に成形してある。
【００１９】
上記のように、化粧プレート２０に形成した係合爪２２と、耐火プレート３０に形成した係合片３２とを、ともに取付枠１０に設けた係合孔１４の縁部に係合させる構造とすることにより、各プレート装着用の孔を別個に設けていた従来の配線器具取付装置（図９参照）に比べ、取付枠１０に穿設する孔数が減る。その結果、取付枠１０の強度を高く保持することができる。
【００２０】
さて、この実施形態では、耐火プレート３０を化粧プレート２０に係合させて、これら各プレート２０，３０を一体的に取付枠１０へ装着できる構造を採っている。すなわち、化粧プレート２０に形成した係合爪２２の中央部には、係合溝（係合部）２２ａが形成してある（図２参照）。そして、耐火プレート３０に形成した係合片３２の背面（係合部）３２ａは、この係合溝２２ａに嵌合する寸法形状に形成してある。
【００２１】
図４は化粧プレートに耐火プレートを係合して一体化した状態を示す斜視図、図５は化粧プレートおよび耐火プレートに形成した各係合部の拡大斜視図、図６は同係合部の向きを変えて示す拡大斜視図である。
これらの図に示すように、化粧プレート２０の係合爪２２に形成した係合溝２２ａに、耐火プレート３０の係合片３２を嵌め込むことにより、耐火プレート３０と化粧プレート２０とを一体化することができる。係合溝２２ａに嵌め込まれた係合片３２の正面は、図５に拡大して示すように、化粧プレート２０に形成した係合爪２２とほぼ同一の鉤形状となっている。したがって、これら互いに嵌め合わされた化粧プレート２０の係合爪２２と耐火プレート３０の係合片３２とは、取付枠１０に設けた係合孔１４の縁部に、一体的に係合させることができる。
【００２２】
上述した構成の配線器具取付装置は、例えば、工場出荷時に化粧プレート２０に耐火プレート３０を係合させておくことにより、両プレート２０，３０を一体的な部品として輸送することができ、輸送時の取扱いが容易となる。
配線作業現場では、すでに化粧プレート２０に耐火プレート３０が係合されているので、これら各プレート２０，３０を一体的に取付枠１０へ装着でき、作業工数が減少する。
【００２３】
なお、この発明は上述した一実施形態に限定されるものではない。
例えば、取付枠における装着部を鉤状の突起で形成し、一方、化粧プレートにおける係合手段を該突起と係合する係合孔で形成するとともに、耐火プレートにおける係合手段を該突起と係合する係合溝や係合段部で構成してもよい。
このように構成した場合にも、取付枠における装着部が、各プレート共通の係合部分となるので、構造が簡素化し製作が容易となる。
また、この発明の配線器具取付装置は、化粧プレートと耐火プレートとを別体で輸送することを禁止するものではない。また取付枠に対し、まず耐火プレートを装着し、次いで化粧プレートを装着する作業手順を禁止するものでもない。
【００２４】
【発明の効果】
以上説明したように、この発明の配線器具取付装置は、取付枠に化粧プレートおよび耐火プレートを装着するための装着部を形成するとともに、化粧プレートおよび耐火プレートに取付枠の装着部と係合する係合手段をそれぞれ形成したので、取付枠の形状を簡素化しつつ同枠の強度を増強することができる。
また、化粧プレートおよび耐火プレートに形成した各係合手段に、それぞれ相互に係合する係合部を設けたので、作業現場における配線器具の取付け作業工数を減らして、作業性の向上を図ることができ、しかも輸送時の取扱いを容易化することができる。
【図面の簡単な説明】
【図１】この発明の実施形態に係る配線器具取付装置の分解斜視図である。
【図２】同装置の化粧プレートを示す斜視図である。
【図３】同装置の耐火プレートを示す斜視図である。
【図４】化粧プレートに耐火プレートを係合して一体化した状態を示す斜視図である。
【図５】化粧プレートおよび耐火プレートの各係合部の拡大斜視図である。
【図６】同係合部の向きを変えて示す拡大斜視図である。
【図７】この発明の実施形態に係る配線器具取付装置にスイッチを装着した状態を示す外観斜視図である。
【図８】同じくコンセントを装着した状態を示す外観斜視図である。
【図９】従来の配線器具取付装置を示す分解斜視図である。
【符号の説明】
１０：取付枠              １４：係合孔（装着部）
２０：化粧プレート        ２２：係合爪（係合手段）
２２ａ：係合溝（係合部）
３０：耐火プレート        ３２：係合片（係合手段）
【図１】
0003754524.tif 000002
【図２】
0003754524.tif 000003
【図３】
0003754524.tif 000004
【図４】
0003754524.tif 000005
【図５】
0003754524.tif 000006
【図６】
0003754524.tif 000007
【図７】
0003754524.tif 000008
【図８】
0003754524.tif 000009
【図９】
0003754524.tif 000010